(57)【要約】【課題】収納袋において、付録等の収納物の中身が容易に確認でき、搬送および展示にも好適となるようにする。【解決手段】収納袋４は、袋状の第１収納部５と、袋状の第２収納部６と、第１収納部５および第２収納部６を接合し、第１収納部５および第２収納部６が互いに重なるように折り曲げ可能に設けられた接合部７と、を備え、第１収納部５および第２収納部６の少なくとも一方は、少なくとも一部に透明部または半透明部を有するシート材料で形成されている。【選択図】図５
0003220348.tif 000002
【実用新案登録請求の範囲】
【請求項１】
袋状の第１収納部と、
袋状の第２収納部と、
前記第１収納部および前記第２収納部を接合し、前記第１収納部および前記第２収納部が互いに重なるように折り曲げ可能に設けられた接合部と、
を備え、
前記第１収納部および前記第２収納部の少なくとも一方は、少なくとも一部に透明部または半透明部を有するシート材料で形成されている、
収納袋。
【請求項２】
前記第１収納部および前記第２収納部は、
透明または半透明の樹脂フィルムで形成されており、
前記接合部は、
前記樹脂フィルムのヒートシール部を含む、
請求項１に記載の収納袋。
【請求項３】
前記第１収納部、前記第２収納部、および前記接合部は、
透明または半透明の樹脂フィルムで形成されており、
前記接合部は、
帯状に形成されている、
請求項１に記載の収納袋。
【請求項４】
前記第１収納部における第１開口には、前記第１開口を閉じる第１フラップが設けられており、
前記第２収納部における第２開口には、前記第２開口を閉じる第２フラップが設けられており、
前記第１フラップおよび前記第２フラップは、
前記接合部が折り曲げられていない状態では、同方向に折り曲げられることによって、前記第１開口および前記第２開口をそれぞれ閉じることができる、
請求項１〜３のいずれか１項に記載の収納袋。
【請求項５】
請求項１〜４のいずれか１項に記載の収納袋と、
前記第１収納部に収納された書籍と、
前記第２収納部に収納された付録と、
を備える、付録付き書籍。
【請求項６】
前記収納袋内において、前記透明部または前記半透明部から視認可能な位置に、前記書籍または前記付録に関する情報が記載された情報シートが封入されている、
請求項５に記載の付録付き書籍。
【考案の詳細な説明】
【技術分野】
【０００１】
本考案は、収納袋および付録付き書籍に関する。
【背景技術】
【０００２】
雑誌などの書籍に付録が付けられる場合がある。例えば、冊子体等のかさばらない付録の場合、書籍に挟み込まれることが多い。この場合、付録が挟み込まれた書籍は、ひもやゴムバンドなどで、書籍とともに束ねられることが多い。
近年、立体的な付録が付けられる書籍も多い。例えば、雑誌の付録として、バッグ、スカーフなどの服飾品が付けられる場合がある。このような付録は、簡素な組立式包装箱に収納されている。
例えば、特許文献１には、このような付録収納用途に好適な組立式包装箱が開示されている。この組立式包装箱によれば、繊維製品などのシワを防止して収容できる。この組立式包装箱によれば、付録を、あるいは付録および書籍を収納することが可能である。
【先行技術文献】
【特許文献】
【０００３】
【特許文献１】特開２０１７−１３２５０５号公報
【考案の概要】
【考案が解決しようとする課題】
【０００４】
しかしながら、上記のような従来の付録の収納技術には、以下のような問題がある。
付録が書籍に挟み込まれる場合、付録の大きさなどに制約が生じる。さらに、付録が外から見えないので、購買者が付録の中身を確認することができないという問題がある。
同様に、特許文献１に開示された組立式収納箱の場合も、収納箱によって収納物が覆い隠されるため、購買者が付録の中身を確認することができない。収納箱に書籍を同梱しない場合には、付録との一体性がなくなるため、搬送時、展示時の管理が難しくなる。
例えば、販売数が多く、売り場スペースが広い大手の書店であれば、付録の中身を示すために、付録の現物見本を売り場に展示することも可能である。しかし、小規模の販売店などでは、現物見本を展示するスペースを設けることができないことも多い。
【０００５】
本考案は、上記のような問題に鑑みてなされたものであり、付録等の収納物の中身が容易に確認でき、搬送および展示にも好適となる収納袋および付録付き書籍袋を提供することを目的とする。
【課題を解決するための手段】
【０００６】
上記の課題を解決するために、本考案の第１の態様の収納袋は、袋状の第１収納部と、袋状の第２収納部と、前記第１収納部および前記第２収納部を接合し、前記第１収納部および前記第２収納部が互いに重なるように折り曲げ可能に設けられた接合部と、を備え、前記第１収納部および前記第２収納部の少なくとも一方は、少なくとも一部に透明部または半透明部を有するシート材料で形成されている。
【０００７】
上記収納袋では、前記第１収納部および前記第２収納部は、透明または半透明の樹脂フィルムで形成されており、前記接合部は、前記樹脂フィルムのヒートシール部を含んでもよい。
【０００８】
上記収納袋では、前記第１収納部、前記第２収納部、および前記接合部は、透明または半透明の樹脂フィルムで形成されており、前記接合部は、帯状に形成されていてもよい。
【０００９】
上記収納袋では、前記第１収納部における第１開口には、前記第１開口を閉じる第１フラップが設けられており、前記第２収納部における第２開口には、前記第２開口を閉じる第２フラップが設けられており、前記第１フラップおよび前記第２フラップは、前記接合部が折り曲げられていない状態では、同方向に折り曲げられることによって、前記第１開口および前記第２開口をそれぞれ閉じることができてもよい。
【００１０】
本考案の第２の態様の付録付き書籍は、上記収納袋と、前記第１収納部に収納された書籍と、前記第２収納部に収納された付録と、を備える。
【００１１】
上記付録付き書籍では、前記収納袋内において、前記透明部または前記半透明部から視認可能な位置に、前記書籍または前記付録に関する情報が記載された情報シートが封入されていてもよい。
【考案の効果】
【００１２】
本考案の収納袋および付録付き書籍によれば、付録等の収納物の中身が容易に確認でき、搬送および展示にも好適となる。
【図面の簡単な説明】
【００１３】
【図１】本考案の第１の実施形態の付録付き書籍の折り畳み状態の一例を示す模式的な斜視図である。
【図２】本考案の第１の実施形態の付録付き書籍の折り畳み状態の一例を示す模式的な斜視図である。
【図３】本考案の第１の実施形態の付録付き書籍の展開状態の一例を示す模式的な正面図である。
【図４】本考案の第１の実施形態の付録付き書籍の展開状態の一例を示す模式的な背面図である。
【図５】本考案の第１の実施形態の収納袋の一例を示す模式的な斜視図である。
【図６】本考案の第１の実施形態の収納袋の一例を示す模式的な正面図である。
【図７】本考案の第１の実施形態の収納袋の一例を示す模式的な背面図である。
【図８】本考案の第１の実施形態の収納袋の製造方法の一例を示す工程説明図である。
【図９】本考案の第１の実施形態の収納袋の製造方法の一例を示す工程説明図である。
【図１０】本考案の第１の実施形態の収納袋の製造方法の一例を示す工程説明図である。
【図１１】本考案の第１の実施形態の収納袋の製造方法の一例を示す工程説明図である。
【図１２】本考案の第２の実施形態の収納袋の一例を示す模式的な斜視図である。
【図１３】本考案の第２の実施形態の収納袋の一例を示す模式的な背面図である。
【図１４】本考案の第２の実施形態の付録付き書籍の折り畳み状態の一例を示す模式的な平面図である。
【図１５】本考案の第３の実施形態の収納袋の一例を示す模式的な正面図である。
【考案を実施するための形態】
【００１４】
以下では、本考案の実施形態の収納袋および付録付き書籍について添付図面を参照して説明する。すべての図面において、実施形態が異なる場合であっても、同一または相当する部材には同一の符号を付し、共通する説明は省略する。
【００１５】
［第１の実施形態］
本考案の第１の実施形態の収納袋および付録付き書籍について説明する。
図１は、本考案の第１の実施形態の付録付き書籍の折り畳み状態の一例を示す模式的な斜視図である。図２は、本考案の第１の実施形態の付録付き書籍の折り畳み状態の一例を示す模式的な斜視図である。図３は、本考案の第１の実施形態の付録付き書籍の展開状態の一例を示す模式的な正面図である。図４は、本考案の第１の実施形態の付録付き書籍の展開状態の一例を示す模式的な背面図である。図５は、本考案の第１の実施形態の収納袋の一例を示す模式的な斜視図である。図６は、本考案の第１の実施形態の収納袋の一例を示す模式的な正面図である。図７は、本考案の第１の実施形態の収納袋の一例を示す模式的な背面図である。
【００１６】
図１、２に示すように、本実施形態の包装体１（付録付き書籍）は、書籍２および付録３が収納袋４に収納されている付録付き書籍である。後述するように収納袋４は、少なくとも一部が透明または半透明であればよい。ただし、以下の各図面における包装体１では、一例として、収納袋４の全体が透明である。
包装体１は、図１、２に示すような二つ折りにされた折り畳み状態と、図３、４に示すような展開状態と、が可能である。
【００１７】
書籍２の種類は、冊子体であれば特に限定されない。例えば、書籍２は、雑誌、ムック、ブックレット、パンフレット、ソフトカバー書籍、ハードカバー書籍、文庫本、新書本、取扱説明書、各種テキスト、リーフレットなどであってもよい。書籍２の大きさは、後述する収納袋４に収納可能な大きさであれば特に制限されない。
以下では、一例として、書籍２が雑誌の場合の例で説明する。
【００１８】
図３に示すように、書籍２は、表紙２ａを有する。例えば、表紙２ａには、情報記載部２ｃが印刷されている。情報記載部２ｃは、適宜の文字および画像からなる。例えば、情報記載部２ｃには、雑誌名（題名）、発行月、特集名、記事内容、付録内容、執筆者名などが、記載されている。
図４に示すように、書籍２は、裏表紙２ｂを有する。例えば、裏表紙２ｂには、情報記載部２ｄ、２ｅ、２ｆが印刷されている。情報記載部２ｄ、２ｅ、２ｆは、適宜の文字および画像からなる。例えば、情報記載部２ｃには、雑誌名（題名）、発行年月日などが、記載されている。例えば、情報記載部２ｄには、定価などが記載されている。例えば、情報記載部２ｅには、雑誌コードなどのバーコードが記載されている。
【００１９】
付録３は書籍２と別体の立体物または冊子体である。付録３の大きさは、後述する収納袋４に収納可能な大きさであれば特に制限されない。
付録３の種類は、書籍２を購入するとセットで付属するものであれば特に限定されない。
例えば、付録３は、書籍２の購入時の景品、プレゼントなどであってもよい。例えば、付録３は、宣伝用の非売品、試供品などであってもよい。例えば、付録３は、書籍２を使用する際に補助的に使用する器具、教材などであってもよい。例えば、付録３は、衣服および身の回り品であってもよい。
具体的には、付録３は、バッグ、スカーフ、手袋、靴下、化粧品などであってもよい。
以下では、一例として、付録３が布製の小型バッグからなる場合の例で説明する。
【００２０】
包装体１において、収納袋４には、書籍２、付録３とともに、収納袋４の外から視認可能な部位に、適宜の情報シートが配置されていてもよい。例えば、図１、３に二点鎖線で示すように、書籍２の表紙２ａの一部と重なる部位に、情報シート１０が配置されてもよい。
情報シート１０において、収納袋４の外から視認可能な表面には、表紙２ａからは読み取れない情報が記載されている。
例えば、情報シート１０には、折り畳み状態では書籍２の裏側に隠れる付録３に関する説明画像、説明文などが記載されていてもよい。
例えば、情報シート１０には、裏表紙における情報記載部２ｄ、２ｅ、２ｆの記載事項の少なくとも一部が記載されていてもよい。この場合、包装体１が折り畳み状態であっても、購買者、販売者が情報記載部２ｄ、２ｅ、２ｆの記載事項を読み取ることができる。例えば、情報シート１０に、書籍２に印刷されたのと同様のバーコードが記載されている場合、販売者は、包装体１を展開状態にすることなく、バーコードリーダを用いて書籍２に印刷されたのと同様のバーコードを読み取ることが可能である。
このような情報シート１０は、付録３の一部と重なる部位に配置されてもよい。この場合、情報シート１０には、例えば、付録３に関する説明文、付録３の裏側に関する画像情報などが、記載されてもよい。あるいは、情報シート１０には、折り畳み状態では付録３に隠れる書籍２に関する情報が記載されてもよい。例えば、表面２ａの縮刷画像が表示されたり、情報記載部２ｄ、２ｅ、２ｆの記載事項の少なくとも一部が記載されたりしてもよい。
例えば、情報シート１０は、収納袋４に貼り付けられていてもよい。
例えば、情報シート１０の記載事項は、収納袋４に印刷されていてもよい。
【００２１】
図５に示すように、収納袋４は、第１収納部５、接合部７（ヒートシール部）、第１フラップＦ１、第２収納部６、および第２フラップＦ２を備える。
【００２２】
第１収納部５は、三方の端部が閉じられ、一端に第１開口５ａが形成された袋である。第１収納部５の袋の種類は、書籍２が収納可能であれば特に限定されない。書籍２は、第１開口５ａを通して図示矢印Ａ１に沿って第１収納部５に出し入れ可能である。
例えば、第１収納部５は、平袋、ガゼット袋、スタンディングパウチ、角底袋、チャック（ジッパー）付袋などでもよい。
図５に示す第１収納部５は、一例として、平袋である。すなわち、第１収納部５においては、第１シート５ｂおよび第２シート５ｃが厚さ方向において互いに対向している。第１シート５ｂおよび第２シート５ｃは、第１収納部５の底辺部５ｆで折り曲げられた１枚のフィルムからなる。第１シート５ｂおよび第２シート５ｃは、図示右側の端部において互いにヒートシールされており、このヒートシール部によって側辺部５ｇが形成されている。第１シート５ｂおよび第２シート５ｃは、側辺部５ｇと対向する図示左側の端部において互いにヒートシールされており、このヒートシール部によって接合部７が形成されている。接合部７は、第１収納部５と後述する第２収納部６とを互いに接合している。
【００２３】
第１シート５ｂにおいて底辺部５ｆと反対側の端部には後述する第１フラップＦ１が設けられている。
第２シート５ｃにおいて底辺部５ｆに対向する辺縁には、上辺部５ｈが形成されている。上辺部５ｈは、底辺部５ｆと平行である。
図６に示すように、第１収納部５の深さは、側辺部５ｇおよび接合部７の長さＨに等しい。第１収納部５の開口幅は、側辺部５ｇおよび接合部７の対向間隔Ｗ１に等しい。
第１シート５ｂには、第１シート５ｂの厚さ方向に貫通する貫通孔８ａが形成されている。図７に示すように、第２シート５ｃには、第２シート５ｃの厚さ方向に貫通する貫通孔８ｂが形成されている。
貫通孔８ａ、８ｂは、第１収納部５内に空気を流通させるために形成されている。
貫通孔８ａ、８ｂの位置、形状は特に限定されない。本実施形態では、貫通孔８ａ、８ｂ、一例として、側辺部５ｇと底辺部５ｆとが交差する角部において、互いに重なる位置に形成されている。
【００２４】
第１フラップＦ１は、第１開口５ａを閉じるために設けられている。図６、７に示すように、第１フラップＦ１は、第１シート５ｂにおいて、底辺部５ｆと対向する端部から、外方に突出する片状体である。このため、第１フラップＦ１は、第２シート５ｃの上辺部５ｈよりも外方に突出している。
第１フラップＦ１の外形は、例えば、矩形、台形などからなる。本実施形態では、一例として、第１フラップＦ１の形状は、突出方向に幅が狭くなる等脚台形からなる。
第１フラップＦ１の突出長さはｆ（ただし、ｆ＜Ｈ）である。
第１フラップＦ１は、可撓性材料で形成されている。このため、第１フラップＦ１は、上辺部５ｈと重なる直線に沿って折り曲げ可能である。
【００２５】
第１フラップＦ１には、第２シート５ｃに対向する側の表面において、粘着剤５ｄ、剥離紙５ｅがこの順に積層して設けられている。このため、剥離紙５ｅを粘着剤５ｄから剥離させると、第１フラップＦ１の表面に粘着剤５ｄが露出する。
粘着剤５ｄは、第１フラップＦ１を第２シート５ｃの外表面に粘着固定することが可能な粘着剤からなる。
粘着剤５ｄおよび剥離紙５ｅは、第１フラップＦ１の突出方向の端部において、上辺部５ｈと平行に配置されている。粘着剤５ｄおよび剥離紙５ｅは、延在方向における複数箇所に設けられていてもよいが、本実施形態では、第１フラップＦ１を上辺部５ｈに沿う方向に横断するように設けられている。
【００２６】
本実施形態では、第１シート５ｂ、第２シート５ｃ、および第１フラップＦ１は、一枚の樹脂フィルム（シート材料）から形成されている。樹脂フィルムの材料としては、少なくとも一部に透明部または半透明部が形成されており、ヒートシール可能な材料であれば、特に限定されない。樹脂フィルムは、単層フィルムでもよいし、多層フィルムでもよい。例えば、多層フィルムの場合、第１シート５ｂおよび第２シート５ｃが互いに対向する表面にシーラント層が形成されていてもよい。
樹脂フィルムにおいて、半透明部または不透明部を有する場合、樹脂フィルム自体において少なくとも一部が半透明または不透明であってもよいし、印刷によって半透明部または不透明部が形成されていてもよい。
樹脂フィルムの材料としては、少なくともヒートシール部に熱可塑性樹脂が配置されていれば、特に限定されない。例えば、樹脂フィルムの材料の例としては、ポリエチレン、ポリプロピレン、ポリエチレンテレフタレート、ポリ塩化ビニルなどが挙げられる。
以下では、一例として、樹脂フィルムが透明材料からなるものとして説明する。
【００２７】
図５に示すように、第２収納部６は、三方の端部が閉じられ、一端に第２開口６ａが形成された袋である。第２収納部６の袋の種類は、付録３が収納可能であれば特に限定されない。付録３は、第２開口６ａを通して図示矢印Ａ２に沿って第２収納部６に出し入れ可能である。
例えば、第２収納部６は、第１収納部５と同様の袋が採用できる。
図５における第２収納部６は、一例として、平袋である。すなわち、第２収納部６は、第１シート６ｂおよび第２シート６ｃが厚さ方向において互いに対向している。第１シート６ｂおよび第２シート６ｃは、第２収納部６の底辺部６ｆで折り曲げられた１枚のフィルムからなる。第１シート６ｂおよび第２シート６ｃは、図示左側の端部においてヒートシールされており、このヒートシール部によって側辺部６ｇが形成されている。第１シート６ｂおよび第２シート６ｃは、側辺部６ｇと対向する図示右側の端部において、上述の接合部７によって閉じられている。このため、第２収納部６は、接合部７を介して第１収納部５に接合されている。
【００２８】
第２収納部６の接合方向は、特に限定されない。図５に示す例では、第２収納部６は、第２開口６ａが第１収納部５の第１開口５ａと同方向に開口するように、第１収納部５と接合されている。この場合、書籍２の出し入れ方向（矢印Ａ１参照）と、付録３を出し入れ方向（矢印Ａ２参照）と、互いに同方向になる。
【００２９】
第１シート６ｂにおいて底辺部６ｆと反対側の端部には後述する第２フラップＦ２が設けられている。
第２シート６ｃにおいて底辺部６ｆに対向する辺縁には、上辺部６ｈが形成されている。上辺部６ｈは、底辺部６ｆと平行である。
第２収納部６の大きさは、付録３の大きさに応じて適宜決められてよい。図６に示す例では、一例として、第２収納部６の深さが第１収納部５の深さと同一である。このため、底辺部６ｆは、底辺部５ｆと同一直線上に形成されている。
この場合、第２収納部６の深さは、第２収納部６の深さＨに等しい。第２収納部６の開口幅は、側辺部６ｇおよび接合部７の対向間隔Ｗ２に等しい。本実施形態において、第２収納部６の幅は、第２収納部６の幅に等しくてもよいし、異なっていてもよい。ただし、以下では、第２収納部６および第１収納部５の開口幅が互いに等しい場合の例で説明する（すなわち、Ｗ１＝Ｗ２）。
【００３０】
第１シート６ｂには、第１シート６ｂの厚さ方向に貫通する貫通孔９ａが形成されている。図７に示すように、第２シート６ｃには、第２シート６ｃの厚さ方向に貫通する貫通孔９ｂが形成されている。
貫通孔９ａ、９ｂは、第２収納部６内に空気を流通させるために形成されている。
貫通孔９ａ、９ｂの位置、形状は特に限定されない。本実施形態では、貫通孔９ａ、９ｂ、一例として、側辺部６ｇと底辺部６ｆとが交差する角部において、互いに重なる位置に形成されている。
【００３１】
第２フラップＦ２は、第２開口６ａを閉じるために設けられている。図６、７に示すように、第２フラップＦ２は、第１シート６ｂにおいて、底辺部６ｆと対向する端部から、外方に突出する片状体である。このため、第２フラップＦ２は、第２シート６ｃの上辺部６ｈよりも外方に突出している。
第２フラップＦ２の外形としては、第１フラップＦ１と同様の形状が用いられてよい。本実施形態では、一例として、第２フラップＦ２の形状は、第１フラップＦ１と同様である。このため、第２フラップＦ２の突出長さはｆであり、第２フラップＦ２の突出方向の先端と第１フラップＦ１の突出方向の先端とは、同一直線上に整列している。
第２フラップＦ２は、第１フラップＦ１と同様の可撓性材料で形成されている。このため、第２フラップＦ２は、上辺部６ｈと重なる直線に沿って折り曲げ可能である。
【００３２】
第２フラップＦ２には、第２シート６ｃに対向する側の表面において、粘着剤６ｄ、剥離紙６ｅがこの順に積層して設けられている。粘着剤６ｄ、剥離紙６ｅは、第１フラップＦ１における粘着剤５ｄ、剥離紙５ｅと同様な形状、位置に設けられている。粘着剤６ｄ、剥離紙６ｅは、第１フラップＦ１における粘着剤５ｄ、剥離紙５ｅと同材料からなっていてもよい。
【００３３】
本実施形態では、第１シート６ｂ、第２シート６ｃ、および第２フラップＦ２は、一枚の樹脂フィルムから形成されている。樹脂フィルムの材料としては、第１シート５ｂ、第２シート５ｃ、および第１フラップＦ１に用いる樹脂フィルムの材料と同材料が用いられてもよい。以下では、第２収納部６が、第１収納部５と同材料の樹脂フィルムによって形成される例で説明する。
【００３４】
次に、上述した収納袋４の製造方法の一例について説明する。
図９〜１１は、本考案の第１の実施形態の収納袋の製造方法の一例を示す工程説明図である。
【００３５】
図８に示すように、収納袋４を製造するには、例えば、幅（２Ｈ＋ｆ）の長尺のシートＳが準備される。シートＳの材料は、第１シート５ｂ、第２シート５ｃ、第１フラップＦ１、第１シート６ｂ、第２シート６ｃ、および第２フラップＦ２を形成するための樹脂フィルムからなる。
この後、シートＳの短手方向（図示上下方向）の第１端Ｓａの近傍に、封止用テープＴが貼り付けられる。封止用テープＴは、粘着剤５ｄ（６ｄ）および剥離紙５ｅ（６ｅ）を形成するための剥離紙付き両面粘着テープである。
封止用テープＴの第１端Ｓａから測った貼り付け位置は、第１フラップＦ１（第２フラップＦ２）の突出方向の端縁から測った粘着剤５ｄ（６ｄ）の形成位置と一致される。
【００３６】
この後、図９に示すように、例えば、打ち抜き加工などによって、第１端Ｓａから第２端Ｓｂに向かうＶ字状のノッチＮが形成される。ノッチＮの深さは長さｆに等しい。ノッチＮの間隔は、シートＳの長手方向（図示左右方向）において、長さＷ１、Ｗ２が交替するように設けられる。
これにより、長さＷ１だけ離間したノッチＮの間には、第１フラップＦ１が形成される。長さＷ２だけ離間したノッチＮの間には、第２フラップＦ２が形成される。さらに、封止用テープＴが、各ノッチＮによって切断されることによって、第１フラップＦ１および第２フラップＦ２上にそれぞれ剥離紙５ｅ、６ｅ、図示略の粘着剤５ｄ、６ｄが配置される。
【００３７】
図１０に示すように、この後、シートＳは、第２端Ｓｂから距離Ｈの折り曲げ線Ｌにおいて折り曲げられる。この結果、第２端Ｓｂは、第１端Ｓａから距離ｆの位置に移動する。
この後、シートＳは、線分Ｌｅ、Ｌｍ上においてヒートシールされる。ここで、線分Ｌｅは、ノッチＮのうち、第１フラップＦ１および第２フラップＦ２を間に挟む２つのノッチＮｅの頂部から延びてそれぞれ折り曲げ線Ｌに直交する線分である。線分Ｌｍは、２つのノッチＮｅの間に挟まれたノッチＮｍの頂部から延びて折り曲げ線Ｌに直交する直線Ｌｍである。
ただし、図１１に示すように、線分Ｌｅ上に形成されたヒートシール部は、ヒートシール後、その中心線に沿って切断される。
このようにして、収納袋４が製造される。
すなわち、線分Ｌｅに沿うヒートシール部は、側辺部５ｇ、６ｇを構成する。線分Ｌｍに沿うヒートシール部は接合部７を構成する。第２端Ｓｂは、上辺部５ｈ、６ｈを構成する。
【００３８】
上述の製造方法の例によれば、本実施形態の収納袋４は、１枚のシートＳから製造される。このような製造方法によれば、収納袋４をロール・トゥ・ロール方式によって製造することが可能である。
ただし、収納袋４の製造方法はこれには限定されない。例えば、収納袋４は、それぞれ独立に形成された第１収納部５と、第２収納部６とを、接合部７となるそれぞれの側辺部においてヒートシールすることによって、接合して製造することも可能である。
また、接合部７はヒートシール部には限定されない。例えば、接合部７として、第１収納部５および第２収納部６に接合する接着テープ、粘着テープが用いられてもよい。
【００３９】
包装体１を製造するには、書籍２および付録３を、それぞれ収納袋４の第１開口５ａおよび第２開口６ａから、第１収納部５および第２収納部６内に挿入する。このとき、第１収納部５には貫通孔８ａ、８ｂが形成され、第２収納部６には貫通孔９ａ、９ｂが形成されているため、空気の流通が容易になる。この結果、第１開口５ａ、第２開口６ａを容易に開くことができる。さらに、書籍２、付録３がかさばっていても、第１収納部５、第２収納部６内にそれぞれスムーズに挿入できる。
さらに必要に応じて、情報シート１０を第１収納部５および第２収納部６の少なくとも一方に挿入する。
この後、剥離紙５ｅを剥がして、第１フラップＦ１を第２シート５ｃに貼り付けて、第１開口５ａを閉じる。さらに、剥離紙６ｅを剥がして、第２フラップＦ２を第２シート６ｃに貼り付けて、第２開口６ａを閉じる。
このようにして、図３、４に示すような展開状態の包装体１が製造される。
展開状態の包装体１を、第１フラップＦ１および第２フラップＦ２が互いに対向するように接合部７を中心にして折り畳むと、図１、２に示すような折り畳み状態の包装体１が形成される。
折り畳み状態を維持するために、包装体１には、紐またはゴムバンドがかけられてもよい。
【００４０】
次に、包装体１および収納袋４の作用について説明する。
包装体１によれば、書籍２および付録３がそれぞれ第１収納部５および第２収納部６に収納されている。しかし、包装体１全体としては、書籍２および付録３は一体的に包装されている。このため、搬送や展示の際にも、書籍２および付録３は、工場出荷時の組合せを保持しており、書籍２と付録３とがばらばらになってしまうことが防止される。
収納袋４は、少なくとも一部に透明部または半透明部が形成されているため、収納袋４を開封することなく収納袋４の中身が外から容易に確認できる。このため、消費者に書籍２および付録３の購買意欲をわかせることができる。特に、上述の実施形態のように、収納袋４の全体が透明であると、書籍２および付録３のデザイン全体が外からよく見えるため、さらに効果的である。
【００４１】
例えば、包装体１が図１、２に示すように、折り畳み状態であると、包装体１をコンパクトに配置できるため、搬送時および販売店における展示時に省ペースとなる。折り畳み状態であっても、書籍２および付録３の片面が外から見えるため、消費者は、書籍２および付録３の両方を見て、購買するかどうか決めることができる。
この折り畳み状態では、第１フラップＦ１および第２フラップＦ２が内側で対向して、それぞれが外側に現れない。このため、第１フラップＦ１および第２フラップＦ２あるいは剥離紙５ｅ、６ｅが外から見えないため、包装体１の見栄えがよくなる。例えば、第１シート５ｂを通して書籍２の顔である表紙２ａが現れるように書籍２を配置すると、表紙２ａを見栄えよく見せることができる。同様に第１シート６ｂを通して付録３の主要部が見えるように付録３を配置すると、付録３を見栄えよく見せることができる。
さらに、折り畳み状態において、第１フラップＦ１、第２フラップＦ２が内側に隠れていると、第１フラップＦ１、第２フラップＦ２がめくれることがないため、搬送中、展示中に開封されることが防止できる。
【００４２】
消費者が書籍２および付録３についてさらによく知りたい場合には、図３、４に示すように、包装体１を展開状態にすればよい。この場合、書籍２の裏表紙２ｂ、付録３の裏側も、包装体１を開封することなく外から見ることができるため、消費者、販売者に好都合である。
ただし、情報シート１０などに、書籍２、付録３の裏側に含まれる情報も記載しておけば、展開状態としなくても、消費者、販売者が、ある程度は裏側の情報を知ることができる。
展開状態では、書籍２と付録３とが互いに隣り合った状態で、外から見えるため、展示効果が高められ、消費者の購買意欲を増進することが可能である。このため、現物見本を置かなくても、書籍２および付録３を見栄えよく展示することが可能になる。このように展示された書籍２および付録３は、収納袋４によって包装されているため、展示後に販売することが可能である。
【００４３】
以上説明したように、本実施形態の収納袋４および包装体１によれば、付録等の収納物の中身が容易に確認でき、搬送および展示にも好適となる。
【００４４】
［第２の実施形態］
本考案の第２の実施形態の収納袋および付録付き書籍について説明する。
図１２は、本考案の第２の実施形態の収納袋の一例を示す模式的な斜視図である。図１３は、本考案の第２の実施形態の収納袋の一例を示す模式的な背面図である。図１４は、本考案の第２の実施形態の付録付き書籍の折り畳み状態の一例を示す模式的な平面図である。
【００４５】
図１２、１３に示すように、本実施形態の収納袋１４は、第１の実施形態の収納袋４の接合部７に代えて、接合部１７を備える。
以下、第１の実施形態と異なる点を中心に説明する。
【００４６】
第１の実施形態における接合部７は、線状に形成されていたのに対して、接合部１７は、帯状に形成されている。具体的には、接合部１７は、矩形状の第１シート１７ｂと、第１シート１７ｂと同形の第２シート１７ｃと、が積層して形成されている。
ここで、第１シート１７ｂは、第１シート５ｂ、６ｂと同様の樹脂フィルムからなる。第２シート１７ｃは、第２シート５ｃ、６ｃと同様の樹脂フィルムからなる。
第１シート１７ｂおよび第２シート１７ｃは、底辺部５ｆ、６ｆに隣接する底辺部７ｆにおいて折り曲げられている。
第１シート１７ｂおよび第２シート１７ｃにおいて、それぞれ底辺部５ｆ、６ｆと対向する端部には、上辺部１７ｇ、１７ｈが形成されている。上辺部１７ｇ、１７ｈは、互いにヒートシールされていてもよいし、互いに離間していてもよい。
【００４７】
接合部１７は、上辺部１７ｇ、１７ｈと、底辺部１７ｆと、によって挟まれた側辺部１７ｄ、１７ｅにおいて、それぞれ第１収納部５および第２収納部６と接合されている。
本実施形態では、側辺部１７ｄ、１７ｅは、それぞれ接合部７と同様の線状のヒートシール部からなる。
このため、側辺部１７ｄは、第１の実施形態における接合部７と同様、本実施形態における第１収納部５において、側辺部５ｇに対向する側辺部を構成している。側辺部１７ｅは、第１の実施形態における接合部７と同様、本実施形態における第２収納部６において、側辺部６ｇに対向する側辺部を構成している。
本実施形態の第１収納部５および第２収納部６も、第１の実施形態と同様、三方の端部が閉じられ、一端に第１開口５ａおよび第２開口６ａが形成された袋である。
接合部１７の短手幅Ｗ３（図１３参照）は、書籍２および付録３の厚さに応じて適宜設定することができる。
【００４８】
接合部１７は、上辺部１７ｇ、１７ｈがヒートシールされている場合は、外周の四辺がヒートシールされた第１シート１７ｂおよび第２シート１７ｃの積層体からなる。このため、接合部１７は、可撓性を有する。特に側辺部１７ｄ、１７ｅは、第１の実施形態における接合部７と同様折り曲げ可能である。
接合部１７は、上辺部１７ｇ、１７ｈがヒートシールされていない場合、外周の三辺がヒートシールされた細長い袋部を構成する。上辺部１７ｇ、１７ｈの間には図示略の開口部が形成されている。この場合、接合部１７の内部には、短冊状のスリップ２０（図１２参照）を挿入することが可能である。
スリップ２０には、例えば、情報シート１０と同様な情報が記載されていてもよい。例えば、スリップ２０には、書籍２の背表紙の情報が記載されてもよい。
スリップ２０が可撓性を有する場合には、接合部１７全体が可撓性を有する。スリップ２０が可撓性を有しない場合であっても、側辺部１７ｄ、１７ｅは、第１の実施形態における接合部７と同様折り曲げ可能である。
【００４９】
このような収納袋４は、ノッチＮの形状および接合部１７の形成方法が異なる以外は、収納袋４と同様にして製造できる。
【００５０】
図１４に示すように、本実施形態の包装体１１（付録付き書籍）は、収納袋１４の第１収納部５および第２収納部６に、それぞれ書籍２および付録３が収納された以外は、第１の実施形態の包装体１と同様に構成される。
このため、包装体１１も包装体１と同様、折り畳み状態と、展開状態とを取ることができる。折り畳み状態および展開状態における包装体１１の作用は、包装体１の作用と同様である。
特に、包装体１１では、第１収納部５および第２収納部６が接合部１７を介して接合されている。例えば、接合部１７の短手幅Ｗ３は、書籍２および付録３の厚さの半分程度にしてもよい。この場合、図１４に示す折り畳み状態では、書籍２および付録３がある程度厚さがあっても、第１収納部５および第２収納部６を互いに平行に配置することができる。このため、折り畳み状態の包装体１１は、積層させやすくなるので、搬送、展示に好都合である。
さらに、折り畳み状態では、接合部１７が包装体１１の側面に現れるため、接合部１７を表示目的で使用することもできる。例えば、接合部１７における表示は、第１シート１７ｂまたは第１シート１７ｃへの印刷、または、上述のスリップ２０などによって形成することができる。この場合、包装体１１を折り畳み状態とし、接合部１７を外に向けて本棚などに収容しても、接合部１７における表示情報から、包装体１１の中身が分かるようにすることができる。このため、包装体１１を書店にて、他の書籍と同様に、コンパクトに配置することができる。
【００５１】
以上説明したように、本実施形態の収納袋１４および包装体１１によれば、付録等の収納物の中身が容易に確認でき、搬送および展示にも好適となる。
【００５２】
［第３の実施形態］
本考案の第３の実施形態の収納袋について説明する。
図１５は、本考案の第３の実施形態の収納袋の一例を示す模式的な正面図である。
【００５３】
図１５に示すように、本実施形態の収納袋２４は、第１の実施形態の収納袋４の第１フラップＦ１に代えて、第１フラップＦ２１を備える。
以下、第１の実施形態と異なる点を中心に説明する。
【００５４】
第１フラップＦ２１は、第１シート５ｂから突出されている以外は、第１の実施形態における第１フラップＦ１と同様に構成される。すなわち、第１フラップＦ２１は、包装体１の上辺部５ｈから突出されていることに相当する。このため、収納袋２４の第１シート５ｂにおいて側辺部５ｇと接合部７との間には、上辺部１５ｈが形成されている。上辺部１５ｈは、上辺部６ｈと同一線上に整列している。
【００５５】
収納袋２４によれば、図示略の第１開口５ａ、第２開口６ａからそれぞれ書籍２、付録３を挿入した後、第１フラップＦ２１、第２フラップＦ２で第１開口５ａ、第２開口６ａを閉じることで、包装体（付録付き書籍）を形成できる。
ただし、本実施形態の包装体では、第１フラップＦ２１は、上辺部１５ｈをまたいで第１シート５ｂに貼り付けられる点が、第１の実施形態の包装体１と異なる。
このため、本実施形態の包装体の折り畳み状態では、第１フラップＦ２１と第２フラップＦ２とは、第２収納部６および付録３を間に挟んで互いに対向する。
【００５６】
本実施形態の収納袋２４およびこれを用いた包装体によれば、付録等の収納物の中身が容易に確認でき、搬送および展示にも好適となる。
本実施形態は、包装体の折り畳み状態において、第１フラップと第２フラップとが互いに向かい合って対向しなくてもよい場合の例になっている。
【００５７】
なお、上記第１および第２の実施形態の説明では、例えば、図７、１３のように、第１フラップＦ１および第２フラップＦ２を上にして、第２シート５ｃ、６ｃ側から見たとき、書籍２を収納する第１収納部５が向かって右側、付録３を収納する第２収納部６が向かって左側に位置する場合の例で説明した。しかし、第１収納部５および第２収納部６の位置関係は、左右逆でもよい。
【００５８】
上記各実施形態の説明では、第１収納部５および第２収納部６の外周部において、開口を挟んで互いに対向する２辺にヒートシール部が形成された場合の例で説明した。しかし、第１収納部５および第２収納部６は、底辺部５ｆ、６ｆに相当する部位にもヒートシール部が形成されてもよい。すなわち、第１収納部５および第２収納部６は、外周の三方がヒートシールされた袋であってもよい。
【００５９】
上記各実施形態の説明では、第１フラップおよび第２フラップに粘着剤が設けられた場合の例で説明した。しかし、粘着剤は、第１フラップおよび第２フラップが重なる第１収納部５および第２収納部６の表面に設けられていてもよい。具体的には、包装体１において、粘着剤５ｄは第２シート５ｃの表面に、粘着剤６ｄは第２シート６ｃの表面に、それぞれ設けられていてもよい。
【００６０】
上記第２の実施形態の説明では、接合部１７の外周の三方または四方が線状にヒートシールされている場合の例で説明した。しかし、接合部１７において、第１シート１７ｂおよび第２シート１７ｃが全面的にヒートシールされていてもよい。この場合、接合部１７のヒンジとしての強度が向上する。
【００６１】
上記各実施形態の説明では、第１収納部および第２収納部が第１フラップおよび第２フラップをそれぞれ有する場合の例で説明した。しかし、第１開口および第２開口を閉じる手段は粘着剤が形成されたフラップには限定されない。例えば、収納袋４、１４において、第１フラップＦ１および第２フラップＦ２が削除されてもよい。この場合、包装体においては、例えば、粘着テープなどの接着部材を用いて第１開口５ａおよび第２開口６ａが閉じられてもよい。
さらに、フラップおよび粘着剤以外の手段として、第１シート５ｂ（６ｂ）、第２シート５ｃ（６ｃ）の内面において、互いに凹凸嵌合可能な樹脂ファスナーが設けられていてもよい。
【００６２】
上記各実施形態の説明では、第１収納部５および第２収納部６が、展開状態でそれぞれの第１開口５ａおよび第２開口６ａが接合方向に並ぶように接合されている場合の例で説明した。このようにすると、書籍２および付録３を出し入れする方向が平行になるため、書籍２および付録３を出し入れしやすい。
ただし、第１収納部５および第２収納部６の接合構造はこれには限定されない。例えば、第１収納部５および第２収納部６は、底辺部５ｆ、６ｆの部位で接合部を介して接合されてもよい。例えば、第１収納部５および第２収納部６は、第１収納部５の側辺部５ｇに対向する側辺部（接合部７）と、第２収納部６の側辺部６ｇとが、接合部を介して接合されもよい。
【００６３】
上記各実施形態の説明では、収納袋が第１収納部および第２収納部を有する場合の例で説明した。しかし、収納袋において、書籍２または付録３を収納する収納部は、３箇所以上に設けられてもよい。
【００６４】
上記各実施形態の説明では、第１収納部５および第２収納部６の全体が透明の場合の例で説明した。しかし、本考案の収納袋においては、第１収納部および第２収納部の少なくとも一方に透明部または半透明部が形成されていればよい。
例えば、第１収納部５が透明部または半透明部を有する場合、第２収納部６は不透明であってもよい。例えば、付録３が紫外線に弱いような場合、第２収納部６を紫外線の透過を抑制する不透明部材料で形成することが可能である。この場合、付録３に関する情報は、第２収納部６の表面に印刷する、第１収納部５内に配置された情報シート１０に記載し置く、第１収納部５の表面に印刷しておく、などすれば、消費者が付録３の情報を知ることができる。
【００６５】
以上、本考案の好ましい実施形態を説明したが、本考案はこの実施形態に限定されることはない。本考案の趣旨を逸脱しない範囲で、構成の付加、省略、置換、およびその他の変更が可能である。
また、本考案は前述した説明によって限定されることはなく、添付の実用新案登録請求の範囲によってのみ限定される。
【符号の説明】
【００６６】
１、１１  包装体（付録付き書籍）
２  書籍
２ａ  表紙
２ｂ  裏表紙
２ｃ、２ｄ、２ｅ、２ｆ  情報記載部
３  付録
４、１４、２４  収納袋
５  第１収納部
５ａ  第１開口
５ｂ、６ｂ、１７ｂ  第１シート
５ｃ、６ｃ、１７ｃ  第２シート
５ｄ、６ｄ  粘着剤
５ｅ、６ｅ  剥離紙
５ｇ、６ｇ  側辺部
６  第２収納部
６ａ  第２開口
７  接合部
１０  情報シート
１７  接合部（ヒートシール部）
１７ｄ、１７ｅ  側辺部（ヒートシール部）
２０  スリップ
Ｆ１、Ｆ２１  第１フラップ
Ｆ２  第２フラップ
【図１】
0003220348.tif 000003
【図２】
0003220348.tif 000004
【図３】
0003220348.tif 000005
【図４】
0003220348.tif 000006
【図５】
0003220348.tif 000007
【図６】
0003220348.tif 000008
【図７】
0003220348.tif 000009
【図８】
0003220348.tif 000010
【図９】
0003220348.tif 000011
【図１０】
0003220348.tif 000012
【図１１】
0003220348.tif 000013
【図１２】
0003220348.tif 000014
【図１３】
0003220348.tif 000015
【図１４】
0003220348.tif 000016
【図１５】
0003220348.tif 000017